(57)【特許請求の範囲】
【請求項１】
各ベッド毎にそれぞれ設けられたナースコール子機と、ナースコール親機と、前記各ナースコール子機及び前記ナースコール親機と通信可能に接続された制御機と、を備えるナースコールシステムであって、
前記制御機は、
患者を特定可能な患者特定情報と、前記患者が使用するベッド情報と、前記患者がナースコール子機を使用する際の音量設定情報とが対応づけられた患者情報テーブルが記憶された患者情報記憶部と、
前記ベッド情報と、前記ベッドで使用されるナースコール子機の音量設定情報とが対応づけられた音量設定テーブルが記憶された音量情報記憶部と、を有し、
患者がベッドを移動したことに伴って前記患者情報テーブルの前記ベッド情報が更新されたとき、更新された前記患者情報テーブルに基づいて、前記音量設定テーブルにおける前記患者の移動先のベッドのナースコール子機の音量設定情報が更新される、
ナースコールシステム。
【請求項２】
前記制御機は、患者がベッドを移動したことに伴って前記患者情報テーブルが更新されたとき、ベッドを移動した前記患者が使用していたベッドのナースコール子機の音量設定情報を初期設定に戻す、請求項１に記載のナースコールシステム。
【請求項３】
複数の前記制御機を備え、
前記各制御機は、それぞれ互いに通信可能に接続されるととともに、自制御機と接続される前記ナースコール子機及び前記ナースコール親機を制御可能であり、
患者がベッドを移動した際に前記患者が使用するナースコール子機を制御する制御機が変更になった場合、変更後の前記制御機において前記患者情報テーブルが更新され、変更後の前記制御機は、更新された前記患者情報テーブルに基づいて、前記音量設定テーブルにおけるベッドを移動した前記患者の移動先のベッドの音量設定情報を更新する、請求項１または請求項２に記載のナースコールシステム。
【発明の詳細な説明】
【技術分野】
【０００１】
本発明は、ナースコールシステムに関するものである。
【背景技術】
【０００２】
ナースコールシステムにとって、ナースコール子機からナースコール親機を呼び出して通話する機能、または、ナースコール子機から担当看護師の携帯端末を呼び出して通話する機能は、基本的な機能の一つであり、その役割は重要である。患者によって聴力に差があるため、従来のナースコールシステムでは、看護師等の医療従事者は、ナースコール親機の操作部を操作することによってナースコール子機毎に通話音量を設定することが可能である。また、例えば、下記の特許文献１〜２には、ナースコールシステムの通話機能の音量設定に関する技術が開示されている。
【先行技術文献】
【特許文献】
【０００３】
【特許文献１】特開平０９−２６１３５４号公報
【特許文献２】特開２００１−１８６２６６号公報
【発明の概要】
【発明が解決しようとする課題】
【０００４】
しかしながら、従来のナースコールシステムでは、患者がベッドを移動した場合、移動した患者は、移動前の患者のための音量設定または初期の音量設定に基づいてナースコール子機を使用しなければならない場合があった。この場合、患者は、音量設定が自分に適したものでないことに気づかない限り、その患者の聴力にあった通話音量で通話できないこととなってしまう。この状況を回避するために、医療従事者は、移動後のナースコール子機に対してその患者に適した通話音量に再度の設定処理を行わなければならず、この重複した設定作業が大変手間であった。
【０００５】
そこで、本発明は、医療従事者が通話音量を設定する作業を再度行うことなく、ベッドを移動した患者がその患者に適した通話音量で通話することが可能なナースコールシステムを提供することを目的とする。
【課題を解決するための手段】
【０００６】
上記目的を達成するために、本発明のナースコールシステムは、
各ベッド毎にそれぞれ設けられたナースコール子機と、ナースコール親機と、前記各ナースコール子機及び前記ナースコール親機と通信可能に接続された制御機と、を備えるナースコールシステムであって、
前記制御機は、
患者を特定可能な患者特定情報と、前記患者が使用するベッド情報と、前記患者がナースコール子機を使用する際の音量設定情報とが対応づけられた患者情報テーブルが記憶された患者情報記憶部と、
前記ベッド情報と、前記ベッドで使用されるナースコール子機の音量設定情報とが対応づけられた音量設定テーブルが記憶された音量情報記憶部と、を有し、
患者がベッドを移動したことに伴って前記患者情報テーブルの前記ベッド情報が更新されたとき、更新された前記患者情報テーブルに基づいて、前記音量設定テーブルにおける前記患者の移動先のベッドのナースコール子機の音量設定情報が更新される。
【０００７】
この構成によれば、患者がベッドを移動した場合、医療従事者が患者情報テーブルのベッド情報を更新すると、更新した患者情報テーブルを参照して音量設定テーブルの音量設定情報が自動的に更新される。このため、医療従事者は、患者がベッドを移動しても、音量設定テーブルに対して、移動後のナースコール子機の音量設定を再度行う必要がなくなり、音量設定の再度の手間を省くことができる。また、患者は、ベッドを移動しても自分に適した通話音量でナースコール子機を使用することができる。
【０００８】
また、本発明のナースコールシステムにおいて、
前記制御機は、患者がベッドを移動したことに伴って前記患者情報テーブルが更新されたとき、ベッドを移動した前記患者が使用していたベッドのナースコール子機の音量設定情報を初期設定に戻しても良い。
【０００９】
この構成によれば、患者が移動や退院等をして空きとなったベッドについて、ナースコール子機の音量を自動的に初期設定に戻すことができる。このため、医療従事者は、空きベッドとなったベッドのナースコール子機の音量設定を再度行う必要がなく、業務効率が向上する。
【００１０】
また、本発明のナースコールシステムは、
複数の前記制御機を備え、
前記各制御機は、それぞれ互いに通信可能に接続されるととともに、自制御機と接続される前記ナースコール子機及び前記ナースコール親機を制御可能であり、
患者がベッドを移動した際に前記患者が使用するナースコール子機を制御する制御機が変更になった場合、変更後の前記制御機において前記患者情報テーブルが更新され、変更後の前記制御機は、更新された前記患者情報テーブルに基づいて、前記音量設定テーブルにおけるベッドを移動した前記患者の移動先のベッドの音量設定情報を更新しても良い。
【００１１】
この構成によれば、制御機の支配下を超える移動を患者がした場合でも、医療従事者は、移動後のナースコール子機の音量設定を再度行う必要がなく便利である。
【発明の効果】
【００１２】
本発明のナースコールシステムによれば、医療従事者が通話音量を設定する作業を再度行うことなく、ベッドを移動した患者がその患者に適した通話音量で通話することができる。
【図面の簡単な説明】
【００１３】
【図１】本発明の実施形態に係るナースコールシステムの構成図である。
【図２】ナースコールシステムにおける制御機の機能ブロック図である。
【図３】（ａ）は患者情報テーブルの一例、（ｂ）は音量設定テーブルの一例を示す図である。
【図４】（ａ）は更新後の患者情報テーブルの一例、（ｂ）は更新後の音量設定テーブルの一例を示す図である。
【図５】ナースコールシステムの変形例を示す構成図である。
【図６】（ａ），（ｂ）は患者情報テーブルの一例、（ｃ），（ｄ）は音量設定テーブルの一例を示す図である。
【図７】（ａ），（ｂ）は更新後の患者情報テーブルの一例、（ｃ），（ｄ）は更新後の音量設定テーブルの一例を示す図である。
【発明を実施するための形態】
【００１４】
以下、本発明に係るナースコールシステムの実施形態の一例について、図面を参照して詳細に説明する。
【００１５】
図１に示すように、ナースコールシステム１は、複数の（本例では４つの）ナースコール子機２ａ，２ｂ，２ｃ，２ｄ（以下、総称する場合はナースコール子機２と称する）と、ナースコール親機３と、複数の（本例では２つの）廊下灯４ａ，４ｂ（以下、総称する場合は廊下灯４と称する）と、制御機５と、複数の（本例では４つの）携帯端末６ａ，６ｂ，６ｃ，６ｄ（以下、総称する場合は携帯端末６と称する）と、基地局７と、交換機８と、管理ＰＣ（オーダリングシステム）９を備えている。これらの各部は、ハブ（ＨＵＢ）１０を介して通信可能に接続されている。
ナースコールシステム１は、例えば患者を収容する病院等の医療，介護施設内に設置されている。本例では、外科病棟Ｓ内のナースコールシステム１を示す。
【００１６】
ナースコール子機２は、患者が看護師を呼び出して通話を行うためのものであり、病室内の病床（ベッド）毎に設置されている。ナースコール子機２は、プレート子機２１と、握り子機２２とを有する。プレート子機２１は、患者が看護師との間で相互に通話を行うマイクとスピーカを備え、例えば各患者のベッドの上方の壁面に設置されている。握り子機２２は、病室内の患者が看護師を呼び出すための呼出ボタンを備え、プレート子機２１にケーブルで接続されている。ナースコール子機２は、通信ケーブルを通じて廊下灯４に接続されている。
【００１７】
廊下灯４は、各患者からの呼出信号を検出してその呼出信号を病室外へ報知するものであり、病室の入口付近に設置されている。本例の廊下灯４は、ハブ１０を経由して制御機５と接続されている。本例の廊下灯４には、液晶表示部４１と表示ランプ４２が設けられている。液晶表示部４１は、ナースコール子機２から呼び出しがあると、呼び出しをした患者の名前等の患者情報が液晶表示部４１に表示されるように構成されている。また、表示ランプ４２は、ナースコール子機２から呼び出しがあると、例えば点滅するように構成されている。
【００１８】
ナースコール親機３は、患者からの呼び出しに看護師が応答して通話を行ったり、患者や看護師等の情報を表示したりする機能を有する。ナースコール親機３は、スタッフステーション等の施設内共用部に設置されている。ナースコール親機３は、大型モニタ３１と、小型モニタ３２と、通話部３３とを有する。
【００１９】
大型モニタ３１は、例えば２４型の縦長のタッチパネル画面で構成されており、外科病棟Ｓの全患者に関する患者情報を表示するとともに、ナースコール親機３の操作部としても機能することが可能である。小型モニタ３２は、例えば７型の横長のタッチパネル画面で構成されており、ナースコール子機２によって患者から呼び出しが有った場合、その呼び出しをした患者のベッド番号や名前等を含む患者情報を表示する。通話部３３は、患者からの呼出音および患者の音声を出力するスピーカと、患者の呼び出しに看護師が応答して通話を行うためのマイクとを有している。
【００２０】
制御機５は、中継器として設置されており、各患者に関する情報の制御、接続されている各機器の呼出制御あるいは通話制御等を行なう。制御機５は、ハブ１０を介して、廊下灯４、ナースコール親機３、交換機８、管理ＰＣ９と例えばＬＡＮ（Local Area Network）により接続されている。
【００２１】
携帯端末６は、ナースコール子機２からの呼び出しを通知するとともに、呼び出しに応答して患者と通話するためのものであり、各看護師によって携帯されている。携帯端末６には表示画面が設けられており、ナースコール子機２からの呼び出しが有ると、呼出元である患者の病室番号、ベッド番号、名前等が表示される。携帯端末６としては、例えばＰＨＳ６ａ，６ｂやスマート端末６ｃ，６ｄ等が用いられ、各携帯端末６ａ，６ｂ，６ｃ，６ｄは個別の携帯端末ＩＤを有している。
【００２２】
基地局７は、携帯端末６との間で無線通信を行うためのアンテナであり、スタッフステーションの近辺、および施設内でスタッフステーションから離れた場所に所定の間隔で設置されている。交換機（例えば、Internet Protocol Private Branch eXchange等）８は、携帯端末６とナースコール子機２とを接続するための機器である。交換機８は、通信ケーブルを通じて基地局７に接続されている。
【００２３】
管理ＰＣ９は、各患者の患者情報を含む病院に関する情報を一括して管理する機器であり、例えば施設の管理室等の所定の場所に設置されている。
【００２４】
次に、制御機５の機能について説明する。
図２に示すように、制御機５は、制御機ＣＰＵ５１と、記憶部５２と、廊下灯インターフェース回路（以下、インターフェース回路を「Ｉ／Ｆ」と称す）５３と、親機Ｉ／Ｆ５４と、交換機Ｉ／Ｆ５５と、管理Ｉ／Ｆ５６とを備えている。
【００２５】
廊下灯Ｉ／Ｆ５３は、廊下灯４と信号伝送路を形成するための通信部を構成している。親機Ｉ／Ｆ５４は、ナースコール親機３と信号伝送路を形成するための通信部を構成している。交換機Ｉ／Ｆ５５は、交換機８と信号伝送路を形成するための通信部を構成している。管理Ｉ／Ｆ５６は、管理ＰＣ９と信号伝送路を形成するための通信部を構成している。
【００２６】
記憶部５２には、患者情報記憶部５２ａと、音量情報記憶部５２ｂとが設けられている。
患者情報記憶部５２ａには、患者を特定する患者ＩＤ（患者特定情報の一例）と、患者が使用するベッドに装備されたナースコール子機２を特定する子機ＩＤ（ベッド情報の一例）と、患者がナースコール子機２を使用する際の通話音量（音量設定情報の一例）とが対応づけられた患者情報テーブルが記憶されている（図３（ａ）参照）。
音量情報記憶部５２ｂには、ナースコール子機２ａ，２ｂ，２ｃ，２ｄの各子機ＩＤと各通話音量とがそれぞれ対応づけられた音量設定テーブルが記憶されている（図３（ｂ）参照）。
【００２７】
制御機ＣＰＵ５１は、例えば記憶部５２及び管理ＰＣ９に記憶される情報の管理、ナースコール子機２の呼び出しに対するナースコール親機３及び所定の携帯端末６への接続処理等を行う。呼出に対する接続処理を行う際には、各情報が対応づけられている患者情報テーブル及び音量設定テーブルが用いられる。各ナースコール子機２と、ナースコール親機３又は携帯端末６との通話の際には、音量設定テーブルを参照して通話音量が決定される。
【００２８】
次に、ナースコールシステム１の動作について説明する。
図３（ａ）に示すように、患者情報テーブル６０には、患者ＩＤ６１と、子機ＩＤ６２と、子機の通話音量６３と、患者が受診する診療科６４と、担当の看護師ＩＤ６５と、担当看護師の携帯端末ＩＤ６６とが対応づけて格納されている。例えば、患者情報テーブル６０の一行目の情報は、患者ＩＤ0007が、外科の101号室の1番ベッド（子機ＩＤ101-1）に入院し、ナースコール子機２を使用する際に通話音量を大中小のうちの「大」で使用することを意味している。また、担当の看護師ＩＤ1259の携帯端末ＩＤが1009であることを意味している。これらの各情報は、ナースコール親機３の大型モニタ３１画面の操作により入力することができる。
【００２９】
また、図３（ｂ）に示すように、音量設定テーブル７０には、子機ＩＤ６２と、子機の通話音量６３とが対応づけて格納されている。音量設定テーブル７０の各情報は、図３（ａ）に示す患者情報テーブル６０の情報のうちの子機ＩＤ６２と子機の通話音量６３の情報と対応している。
【００３０】
ここで、108号室の1番ベッド（子機ＩＤ108-1）の患者ＩＤ0025が退院し、101号室の2番ベッド（子機ＩＤ101-2）にいた患者ＩＤ0033が、108号室の1番ベッド（子機ＩＤ108-1）に移動することになったとする。
【００３１】
この場合、患者のベッド移動に伴って医療従事者によりナースコール親機３の大型モニタ３１又は小型モニタ３２が操作され、患者情報テーブル６０における患者ＩＤ0033の子機ＩＤの移動先のベッド情報として子機ＩＤ108-1が入力される。また、退院した患者ＩＤ0025の情報は削除される。入力及び削除された情報は、ナースコール親機３から制御機５へ送信される。
【００３２】
制御機ＣＰＵ５１は、送信されてきた情報に基づいて、患者情報テーブル６０における患者ＩＤ0033の子機ＩＤの情報を、図４（ａ）のハッチングを付した領域に示すように、子機ＩＤ108-1に更新する。また、患者ＩＤ0025の情報を患者情報テーブル６０から削除する。
【００３３】
また、更新された患者情報テーブル６０の情報に基づいて、制御機ＣＰＵ５１は、音量設定テーブル７０における子機の通話音量６３を、図４（ｂ）のハッチングを付した領域に示すように、更新する。つまり、108号室の1番ベッド（子機ＩＤ108-1）に移動した患者ＩＤ0033が使用するナースコール子機２の通話音量を、患者ＩＤ0033が移動前に使用していた通話音量である「小」に更新する。また、患者ＩＤ0033が移動前に使用していた101号室の2番ベッド（子機ＩＤ101-2）のナースコール子機２の通話音量を、初期設定の音量である「中」に更新する。
【００３４】
更新された患者情報テーブル６０及び音量設定テーブル７０の情報は、管理ＰＣ９へ送信される。管理ＰＣ９は、送信されてきた情報に基づいて、管理ＰＣ９の記憶部に記憶する患者情報及び音量情報を更新する。
【００３５】
患者ＩＤ0033のベッド移動に伴って上記のように更新がされた後、患者ＩＤ0033が108号室の1番ベッド（子機ＩＤ108-1）のナースコール子機２から呼出を行った場合、以下のように動作する。
【００３６】
呼出信号を受信した制御機５は、先ず、呼出信号に含まれる子機ＩＤ108-1を検出する。続いて、制御機５は、患者情報テーブル６０を参照して、子機ＩＤ108-1に対応づけられている患者ＩＤ0033と、看護師ＩＤ1133の携帯端末ＩＤ1007を特定する。続いて、制御機５は、ナースコール親機３及び特定した看護師ＩＤ1133の携帯端末６へ、子機ＩＤ108-1のナースコール子機２からの呼出信号を送信する。呼出信号に対してナースコール親機３側の看護師または携帯端末６を携帯する看護師ＩＤ1133が応答すると、更新された音量設定テーブル７０における通話音量「小」で患者ＩＤ0033と通話が行われる。
【００３７】
ところで、従来のナースコールシステムでは、患者がナースコール子機を使用する際の通話音量（音量設定情報）は、子機ＩＤ（ベッド情報）と対応づけられた音量設定テーブルのみで管理されるベッドベースの管理が行われ、患者情報テーブルでは管理されていなかった。このため、患者がベッドを移動した場合、医療従事者は、音量設定テーブルに対して、再度、患者の移動後のベッドにおけるナースコール子機の音量を設定しなければならなかった。
【００３８】
これに対して、本実施形態のナースコールシステム１では、患者情報テーブル６０と音量設定テーブル７０とを備え、音量設定テーブル７０の情報の更新は、患者情報テーブル６０の情報の更新と関連づけられており（紐づけられており）、患者ベースの情報管理を行うことができる構成とされている。このため、例えば入院患者（患者ＩＤ0033）が外科病棟Ｓ内で移動して、患者ＩＤ0033の使用するベッドが変わった（子機ＩＤ101-2から子機ＩＤ108-1へ移動）場合、医療従事者は、移動した患者に関する患者情報テーブル６０の子機ＩＤの情報だけを更新すればよい。患者情報テーブル６０の情報を更新することにより、更新された患者情報に基づいて音量設定テーブル７０における移動した患者に関する子機の通話音量の情報は、移動前に使用していた通話音量へ自動的に更新される。また、患者情報テーブル６０における患者ＩＤ0033の子機ＩＤの情報を子機ＩＤ101-2から子機ＩＤ108-1へ更新することにより、更新された患者情報に基づいて音量設定テーブル７０における使用しなくなった子機ＩＤ101-2の通話音量の情報は、初期設定の音量へ自動的に更新される。
【００３９】
これにより、医療従事者は、音量設定テーブル７０に対して、移動した患者に関する子機の通話音量の設定や、移動により患者が使用しなくなった空きベッドに関する子機の通話音量の設定を再度行う必要がなくなり、業務効率を向上させることができる。また、患者は、ベッドを移動しても自分に適した通話音量で移動前と同じように移動先のナースコール子機２を通じて看護師と通話することができる。また、新たに入院した患者は、中音量に初期設定されたナースコール子機２を使用することになるので、比較的に違和感なく通話することができる。
【００４０】
（変形例）
次に、上述したナースコールシステムの変形例について図５〜図７を参照して説明する。
【００４１】
図５に示すように、ナースコールシステム１Ａは、外科病棟Ｓに設置された制御機５の他に例えば内科病棟Ｉに設置された制御機５Ａを備えている。各制御機５，５Ａは、それぞれ互いに通信可能にＬＡＮで接続されている。制御機５は、制御機５に接続されているナースコール子機２、ナースコール親機３等を制御可能に構成されている。制御機５Ａは、制御機５Ａに接続されているナースコール子機２Ａ、ナースコール親機３Ａ等を制御可能に構成されている。なお、内科病棟Ｉ内に設置されているナースコール子機２Ａ、ナースコール親機３Ａ等の機能は、上記形態で説明した外科病棟Ｓのナースコール子機２、ナースコール親機３等の機能と同様である。
【００４２】
ナースコールシステム１Ａの動作について説明する。
図６（ａ），（ｂ）に示すように、外科病棟制御機の患者情報テーブル６０Ａ及び内科病棟制御機の患者情報テーブル６０Ｂには、図３（ａ）に示す患者情報テーブル６０の情報に加えて親機ＩＤ６７と、制御機ＩＤ６８とが対応づけて格納されている。親機ＩＤは、情報を転送する対象の親機を特定し、「01」が外科病棟Ｓのナースコール親機３を意味し、「02」が内科病棟Ｉのナースコール親機３Ａを意味する。制御機ＩＤは、制御を行う制御機を特定し、「1」が外科病棟Ｓの制御機５を意味し、「2」が内科病棟Ｉの制御機５Ａを意味する。また、患者情報テーブル６０Ａ，６０Ｂには、外科及び内科の全ての患者情報が格納されている。また、図６（ｃ），（ｄ）に示すように、外科病棟制御機の音量設定テーブル７０Ａ及び内科病棟制御機の音量設定テーブル７０Ｂには、図３（ｂ）に示す音量設定テーブル７０と同じ項目の情報が格納されている。
【００４３】
ここで、外科病棟Ｓの101号室の1番ベッド（子機ＩＤ101-1）にいた患者ＩＤ0007が、内科病棟Ｉの201号室の3番ベッド（子機ＩＤ201-3）に一時的に移動することになったとする。これにより、患者ＩＤ0007が使用するナースコール子機を制御する制御機が外科病棟Ｓの制御機５から内科病棟Ｉの制御機５Ａへ変更になった。
【００４４】
この場合、医療従事者の操作によって、図７（ａ）のハッチングを付した領域に示すように、外科病棟制御機の患者情報テーブル６０Ａにおける患者ＩＤ0007の子機ＩＤの情報が、子機ＩＤ201-3に更新される。更新される情報は、制御機５から制御機５Ａへ送信される。これにより、制御機５Ａの制御機ＣＰＵ５１Ａ（図２参照）は、図７（ｂ）のハッチングを付した領域に示すように、内科病棟制御機の患者情報テーブル６０Ｂにおける患者ＩＤ0007の子機ＩＤの情報を子機ＩＤ201-3に更新する。
【００４５】
また、更新された患者情報テーブル６０Ａの情報に基づいて、制御機５の制御機ＣＰＵ５１は、音量設定テーブル７０Ａにおける子機の通話音量６３を、図７（ｃ）のハッチングを付した領域に示すように、更新する。つまり、201号室の3番ベッド（子機ＩＤ201-3）に移動した患者ＩＤ0007が使用するナースコール子機２の通話音量を、患者ＩＤ0007が移動前に使用していた通話音量である「大」に更新する。また、患者ＩＤ0007が移動前に使用していた101号室の1番ベッド（子機ＩＤ101-1）のナースコール子機２の通話音量を、初期設定の音量である「中」に更新する。
【００４６】
同様にして、制御機５Ａの制御機ＣＰＵ５１Ａは、更新された患者情報テーブル６０Ｂの情報に基づいて、音量設定テーブル７０Ｂにおける子機の通話音量６３を、図７（ｄ）のハッチングを付した領域に示すように、更新する。
【００４７】
患者ＩＤ0007のベッド移動に伴って上記のように更新がされた後、患者ＩＤ0007が201号室の3番ベッド（子機ＩＤ201-3）のナースコール子機２から呼出を行った場合、以下のように動作する。
【００４８】
子機ＩＤ201-3のナースコール子機２と直接接続される制御機５Ａが呼出信号を受信して、呼出信号に含まれる子機ＩＤ201-3を検出する。続いて、制御機５Ａは、患者情報テーブル６０Ｂを参照して、子機ＩＤ201-3に対応づけられている患者ＩＤ0007と、親機ＩＤ01と、制御機ＩＤ1を確認する。制御機５Ａは、確認した親機ＩＤ01と制御機ＩＤ1とに基づいて、患者ＩＤ0007が外科の患者であると判別し、呼出信号を制御機５へ転送する。制御機５は、呼出信号を受信すると、患者情報テーブル６０Ａを参照して、子機ＩＤ201-3に対応づけられている患者ＩＤ0007と、看護師ＩＤ1259の携帯端末ＩＤ1009を特定する。続いて、上記形態と同様にして、呼出信号にナースコール親機３側の看護師または携帯端末６を携帯する看護師ＩＤ1259が応答すると、更新された音量設定テーブル７０Ａにおける通話音量「大」で患者ＩＤ0007と通話が行われる。
【００４９】
本例のナースコールシステム１Ａにおいても、上記形態のナースコールシステム１と同様の作用効果を奏する。
【００５０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００５１】
１，１Ａ：ナースコールシステム、２（２ａ〜２ｈ）：ナースコール子機、３，３Ａ：ナースコール親機、５，５Ａ：制御機、６（６ａ〜６ｈ）：携帯端末、５１，５１Ａ：制御機ＣＰＵ、５２ａ：患者情報記憶部、５２ｂ：音量情報記憶部、６０，６０Ａ，６０Ｂ：患者情報テーブル、６１：患者ＩＤ（患者特定情報の一例）、６２：子機ＩＤ（ベッド情報の一例）、６３：子機の通話音量（音量設定情報の一例）、７０，７０Ａ，７０Ｂ：音量設定テーブル
【図１】
0006343578.tif 000002
【図２】
0006343578.tif 000003
【図３】
0006343578.tif 000004
【図４】
0006343578.tif 000005
【図５】
0006343578.tif 000006
【図６】
0006343578.tif 000007
【図７】
0006343578.tif 000008